(57)【特許請求の範囲】
【請求項１】
ｏ−ターフェニル、ｐ−ターフェニル又はこれらを含有する混合物を、ターフェニル類に対し０．１〜５重量％の塩化アルミニウム触媒の存在下、反応温度８０〜１５０℃、０．５時間以上異性化反応させることを特徴とするｍ−ターフェニルの製造方法。
【発明の詳細な説明】
【０００１】
【発明の属する技術分野】
本発明は、ｏ−ターフェニル、ｐ−ターフェニル又はこれらターフェニル類を含有する混合物から、酸触媒による異性化反応によりｍ−ターフェニルを製造する方法に関するものである。
【０００２】
【従来の技術】
ｍ−ターフェニルは、熱媒体や感熱紙増感剤として有用であるため、効率よく経済的に有利な製造方法の開発が望まれている。ｍ−ターフェニルの製造方法としては、ベンゼンを７００〜９００℃で熱縮合させて生成するビフェニル、ｏ−ターフェニル、ｍ−ターフェニル、ｐ−ターフェニルの混合物を精密蒸留して、ｍ−ターフェニルを得る方法が知られている。しかしながら、ベンゼンによる熱縮合生成混合物には、通常ｍ−ターフェニルが１０重量％程度しか含まれていないため、これを増産しようとすると他の併産物も多量に副生するという問題がある。
【０００３】
これらの問題を解決するために、ベンゼンの熱縮合反応で副生するｏ−ターフェニル、ｐ−ターフェニル及びｍ−ターフェニルを含む混合物を異性化し、ｍ−ターフェニルを製造する方法が報告されている。例えば、ｐ−ターフェニル、ｏ−ターフェニルをルイス酸触媒の存在下でｍ−ターフェニルに異性化する方法（米国特許２３６３２０９号）、ｐ−ターフェニルを固定化された固体酸触媒によりｍ−ターフェニルに異性化する方法（仏国特許１３４５０２１号）などが知られている。しかし、いずれもｍ−体の異性化選択率が悪く、１段の異性化反応で高純度のｍ−ターフェニルを得ることができないため、異性化後に蒸留精製する必要がある。また、異性化の反応温度が高く、特別な設備仕様を施す必要があり、経済性の問題がある。
【０００４】
【発明が解決しようとする課題】
したがって、本発明の目的は、ｏ−ターフェニル、ｐ−ターフェニル又はこれらを含有する混合物を、酸触媒の存在下に温和な条件で異性化反応させ、ｍ−ターフェニルを選択的に効率よく製造できる方法を提供することにある。
【０００５】
【課題を解決するための手段】
すなわち、本発明は、ｏ−ターフェニル、ｐ−ターフェニル又はこれらを含有する混合物を、ターフェニル類に対し０．１〜５重量％の塩化アルミニウム触媒の存在下、反応温度８０〜１５０℃、０．５時間以上異性化反応させることを特徴とするｍ−ターフェニルの製造方法である。
【０００６】
本発明で使用する原料は、ｏ−ターフェニル又はｐ−ターフェニル単独でもよく、またｏ−ターフェニル、ｍ−ターフェニル、ｐ−ターフェニルの２種又は３種の混合物でもよい。 ｏ−ターフェニル、ｍ−ターフェニル、ｐ−ターフェニルの混合物の混合割合は特に限定されるものでないが、 高い選択率で高純度のｍ−タ−フェニルを得るためには、ｐ−ターフェニルの割合が低いものが好ましい。また、ターフェニル類以外の成分、例えばビフェニルなどを含有してもよい。
【０００７】
原料のターフェニル類に対する塩化アルミニウム触媒の使用量は、反応温度によって異なるが、原料ターフェニル類に対し使用量が増えるほどｐ−体への異性化速度は増加するため、高純度のｍ−ターフェニルを得ることが難しくなる。また、使用量が少ないと異性化速度が遅くなり、ｍ−ターフェニルの生産性が悪くなる。したがって、ｍ−ターフェニルを高濃度でかつ生産性よく製造するため、塩化アルミニウム触媒の使用量は０．１〜５重量％、好ましくは０．２〜２重量％である。 ここで、ターフェニル類の量は、原料中のｏ−、ｍ−及びｐ−ターフェニルの合計量を意味する。
【０００８】
本発明の異性化反応の条件は、原料ターフェニル類の異性体比率と目的生成物のｍ−ターフェニルの純度、収率によって適宜条件を選定することができる。反応温度は、原料が液状になる温度以上であればよいが、ｍ−ターフェニルへの異性化選択性を高めるには８０〜１５０℃が好ましい。反応温度が高いほど異性化速度は増加するが、ｐ−ターフェニルの平衡組成比率が上昇し好ましくない。反応時間は、塩化アルミニウム触媒量、反応温度によって変わるが、通常０．５〜４８時間、好ましくは１〜１０時間、反応圧力は、減圧、常圧、加圧のいずれでもよい。反応形式は、回分式、連続式又は半回分式のいずれの方法でもよい。
【０００９】
ターフェニル類の異性化反応は、温度が高いほどｐ−体への異性化速度が増加し、ｐ−ターフェニルの平衡組成が上昇して、ｍ−ターフェニルの収量が減る。本発明によれば、酸強度の高い塩化アルミニウム触媒を使用することで、ｍ−体への異性化に有利となる低い反応温度で異性化させることができ、ｍ−ターフェニルの選択率を高くすることができる。
【００１０】
このようにして、ｏ−ターフェニル、ｐ−ターフェニル又はこれらを含有する混合物を塩化アルミニウム触媒の存在下で、温和な条件でｍ−ターフェニルに異性化させることができる。また、原料であるターフェニル類の異性体比率によっては、１段で高純度のｍ−ターフェニルが得られるが、ｍ−ターフェニルの純度が低いものは、必要に応じて精密蒸留等の公知の方法により高純度ｍ−ターフェニルに精製することができる。
【００１１】
【実施例】
以下、実施例及び比較例により本発明を具体的に説明する。
【００１２】
実施例１〜５で使用した原料ターフェニルの組成（重量％）は、次のとおりであった。
ビフェニル        ：    ０．９０％
ｏ−ターフェニル  ：  ９１．８２％
ｍ−ターフェニル  ：    ５．４８％
ｐ−ターフェニル  ：    ０．０２％
その他            ：    １．７８％
【００１３】
実施例１
原料ターフェニル１０２０ｇを８０℃に加熱し、１３０℃に昇温して溶解させた後、撹袢しながら塩化アルミニウム１０．２ｇ（１．０重量％）を加え１３０℃で３時間加熱して異性化反応を行った。反応終了後、常温まで冷却し、水及び２３％苛性ソーダ水溶液で洗浄した反応生成物をガスクロマトグラフィ−で分析した結果、ｏ−ターフェニル０．３８重量％、ｍ−ターフェニル９１．３３重量％、ｐ−ターフェニル６．０８重量％であった。
【００１４】
実施例２
反応温度を１００℃、反応時間５時間とした以外は、実施例１と同様に異性化反応を行った結果、反応生成物はｏ−ターフェニル１．７８重量％、ｍ−ターフェニル９５．０８重量％、ｐ−ターフェニル１．０５重量％であった。
【００１５】
実施例３
塩化アルミニウムの使用量を７．６５ｇ（０．７５重量％）、反応時間５時間とした以外は、実施例１と同様に異性化反応を行った結果、反応生成物はｏ−ターフェニル０．９１重量％、ｍ−ターフェニル９３．１５重量％、ｐ−ターフェニル２．７２重量％であった。
【００１６】
実施例４
塩化アルミニウムの使用量を５．１ｇ（０．５重量％）、反応時間５時間とした以外は、実施例１と同様に異性化反応を行った結果、反応生成物はｏ−ターフェニル１７．２４重量％、ｍ−ターフェニル７９．３０重量％、ｐ−ターフェニル０．９５重量％であった。
【００１７】
実施例５
塩化アルミニウムの使用量を７．６５ｇ（０．７５重量％）とした以外は、実施例１と同様に異性化反応を行った。この反応液組成の時間変化をガスクロマトグラフィ−で分析した結果を図１に示す。
【００１８】
実施例６
原料ターフェニルとしてｏ−ターフェニル８３．７７重量％、ｍ−ターフェニル９．６１重量％、ｐ−ターフェニル４．４５重量％であるものを使用した以外は、実施例１と同様に異性化反応を行った結果、反応生成物はｏ−ターフェニル６．５５重量％、ｍ−ターフェニル８４．１６重量％、ｐ−ターフェニル６．１７重量％であった。
【００１９】
比較例
比較例で使用した原料ターフェニルの組成（重量％）は次のとおりであった。
ｏ−ターフェニル  ：  ６０．００％
ｍ−ターフェニル  ：  １５．００％
ｐ−ターフェニル  ：  ２５．００％
オ−トクレーブに、原料ターフェニル１０２０ｇと酸触媒として活性白土（日本活性白土製Ｋ−５００）２０４ｇ（２０重量％）を入れ、撹袢しながら常圧、２３０℃で４時間加熱した。冷却後、触媒を濾過分離し、反応生成物をガスクロマトグラフィーで分析した結果、ｏ−ターフェニル６．３１重量％、ｍ−ターフェニル６８．０３重量％、ｐ−ターフェニル２５．０４重量％であった。
【００２０】
【発明の効果】
本発明によれば、ｏ−ターフェニル、ｐ−ターフェニル又はこれらを含有する混合物を塩化アルミニウム触媒の存在下、温和な条件で異性化反応させることで、熱媒体や感熱紙増感剤として有用な高純度のｍ−ターフェニルを一段で効率よく製造することができる。
【図面の簡単な説明】
【図１】実施例５における反応液組成の時間変化を示すグラフである。
【図１】
0003984687.tif 000002